(57)【要約】      （修正有）【課題】ロッキング強弱調整具を構成する各部品を一体に組み付けてユニット化することで、椅子の座部と背部との連結を迅速に行えるようにすること。【解決手段】ロッキング強弱調整具Ｒ1を構成する有底円筒状の調整ハンドルＨ1の開口側端部の内側に複数の被係止突起６が周方向に沿って所定間隔をおいて設けられ、同じく有底円筒状のバネカバーＥ1の開口側端部に外鍔部１４ａが形成され、外鍔部１４ａ及び本体周壁部１１の開口側端部に、複数の円筒軸心方向のスリットを設けることで、複数の係止片１６が形成され、バネカバーＥ1の開口側端部を前記調整ハンドルＨ1の内側に部分挿入させて、外鍔部１４ａと係止片１６の分割係止外鍔部１４ａを互いに係止させることで、調整ハンドルＨ1とバネカバーＥ1とを互いに連結させる。【選択図】図９
2020130317.tif 000002
【特許請求の範囲】
【請求項１】
椅子の座部の後端部にロッキングの強弱を調整する調整ボルトが、頂部を支点として前後方向に揺動可能なように下方に向けて突出支持されていると共に、当該座部における前記調整ボルトの前方に係合ピンが横方向に沿って配置され、
背部に埋設されたＬ字状の背部アームの水平連結部は、当該背部の下端部から前方に向けて突出されて、前記水平連結部には、前記座部の調整ボルトが挿通される長孔、及び前記係合ピンに対して回動可能に係止される被係合溝が設けられ、
前記座部の係合ピンに対して前記背部の被係合溝を回動可能に係合させると共に、前記調整ボルトを前記背部アームの長孔に挿通させて、当該調整ボルトとロッキング強弱調整具のナット体とを螺合させて、当該ロッキング強弱調整具を介して前記座部に前記背部をロッキング可能に連結する椅子における座部と背部との連結構造において、
前記ロッキング強弱調整具は、前記調整ボルトが螺合される前記ナット体を有する有底円筒状の調整ハンドルと、当該調整ハンドルに対して部分的に内挿又は外挿された状態で円筒軸心方向に相対的にスライド可能な有底円筒状のバネカバーと、前記調整ハンドルと前記バネカバーとの間に亘って内装されるコイルバネとから成り、
前記調整ハンドルとバネカバーとは、内部に前記コイルバネが内装された状態で、それぞれに設けられた係止部と被係止部との係止により、前記円筒軸心方向に相対的にスライド可能に連結されていることを特徴とする椅子における背部のロッキング強弱調整具。
【請求項２】
前記バネカバーは、前記調整ハンドルの内側に部分挿入され、当該調整ハンドルの被挿入開口側の内周面には、周方向に沿って複数の被係止部が突設されていると共に、前記バネカバーの挿入側の端部には、外鍔部が設けられて、当該外鍔部には、当該バネカバーの挿入側端部に至る複数のスリットが周方向に沿って所定間隔をおいて設けられることで、弾性変形可能な複数の係止片が形成され、
前記バネカバーの１又は複数の係止片を内側に弾性変形させて、各係止片の分割係止外鍔部と、前記調整ハンドルの各被係止部とを係止させることで、当該調整ハンドルと当該バネカバーとが円筒軸心方向に沿って相対的にスライド可能に連結されていることを特徴とする請求項１に記載の椅子における背部のロッキング強弱調整具。
【請求項３】
前記調整ハンドルは、前記バネカバーの内側に部分挿入され、当該調整ハンドルの挿入開口側の端部には、外鍔状の被係止部が形成されていると共に、前記バネカバーの被挿入側の端部の内周面には、周方向に沿って所定間隔をおいて複数の係止突起が形成されて、当該バネカバーにおける当該各係止突起の周方向に沿った両端部にはスリットがそれぞれ形成されることで、弾性変形可能な複数の係止片が形成され、
前記バネカバーの１又は複数の係止片を外側に弾性変形させて、各係止片の内側の係止突起と、前記調整ハンドルの被係止部とを係止させることで、当該調整ハンドルと当該バネカバーとが円筒軸心方向に沿って相対的にスライド可能に連結されていることを特徴とする請求項１に記載の椅子における背部のロッキング強弱調整具。
【発明の詳細な説明】
【技術分野】
【０００１】
本発明は、椅子の座部と、背部に埋設されたＬ字形の背部アームの水平連結部とを連結して、当該背部のロッキングの強弱を調整するための椅子における背部のロッキング強弱調整具に関するものである。
【背景技術】
【０００２】
椅子において、座部に対して背部がロッキング可能な構造の一つとして、特許文献１に示されるものが公知である。当該構造は、本発明に係る図面である図３及び図４に示されるように、座部Ａには、金属板を横断面視で屈曲させた支持体Ｋが埋設され、当該支持体Ｋの水平支持板部４１の後端部には、当該座部Ａのロッキングの強弱を調整する調整ボルト４２が、頭部４２ａを支点として前後方向に円弧移動可能に支持されている。なお、調整ボルト４２の頭部４２ａは、ボルト頭部支持体４６の円弧面４６ａに当接することで、頭部４２ａの全体の移動を阻止して、前後方向の円弧移動のみを可能にしている。座部Ａの横方向の中央部であって、しかも後端部には、後述の背部Ｂの背部アーム５１の水平連結部５１ａを収納するための収納凹部４３が前後方向に沿って形成され、前記水平支持板部４１の前方には、支持ブラケット４４を介して係合ピン４５が、前記収納凹部４３に空間配置された状態で、横方向に沿って水平に支持されている。
【０００３】
一方、背部Ｂには、全体がＬ字形であって、中空偏平状の背部アーム５１が埋設されて、当該背部アーム５１の水平連結部５１ａの先端部の外側には、上面が開口された横断面コの字形の組付ブラケット５２が嵌め込まれて固着され、当該ブラケット５２の先端部のみは、他の部分よりも幅広に形成され、当該幅広の部分の両側板部５２ｂに、座部Ａの前記係合ピン４５に回動可能に係合される被係合溝５３が形成されている。前記背部アーム５１の水平連結部５１ａ及び当該水平連結部５１ａの裏面側に固着されている前記組付ブラケット５２の底板部５２ａには、座部Ａの調整ボルト４２が挿通される前後方向に長孔状の挿通長孔５４が形成されている。なお、図１及び図４において、５１ｂは、背部アーム５１における背部Ｂに埋設された埋設部を示し、図１〜図４において、７１は、脚部Ｄの支持支柱部を示す。
【０００４】
また、従来のロッキング強弱調整具Ｒ’は、図１３に示されるように、有底円筒状の調整ハンドルＨ’と、当該調整ハンドルＨ’の開口端部に部分的に挿入される同じく有底円筒状のバネカバーＥ’と、前記調整ハンドルＨ’と前記バネカバーＥ’とが共働して、それらの内部空間に収容されるコイルバネＳと、当該コイルバネＳの一端部とバネカバーＥ’の底部との間に配置される１個のバネ座金６１とで構成され、前記ロッキング強弱調整具Ｒ’を介して前記座部Ａと背部Ｂとを連結する際に、当該ロッキング強弱調整具Ｒ’を構成する計３個の各部品は、それぞれバラバラの状態で、組み付けられる。
【０００５】
即ち、座部Ａの係合ピン４５に対して背部Ｂの組付ブラケット５２の先端部の被係合溝５３を係合させると共に、当該座部Ａに設けられた調整ボルト４２を前記背部アーム５１の水平連結部５１ａ及び組付ブラケット５２の底板部５２ａに設けられた挿通長孔５４に挿通して、座部Ａの裏面の収納凹部４３に、背部Ｂの背部アーム５１の水平連結部５１ａの外側に一体に設けられた組付ブラケット５２を収納させる。次に、図４及び図１３に示されるように、当該調整ボルト４２に、バネカバーＥ’、１個のバネ座金６１及びコイルバネＳを挿通配置させ、この状態で、調整ハンドルＨ’を前記コイルバネＳの外側に配置して、前記調整ボルト４２と、調整ハンドルＨ’の底部１’に埋設されたナット体Ｎとを螺合させることで、座部Ａに対して背部Ｂをロッキング可能にして組み付けていた。背部Ｂを後方に傾動させることで、コイルバネＳが圧縮されて、当該背部Ｂを原位置に復帰させる傾動復元力により背部Ｂがロッキングする構造になっている。
【０００６】
椅子の出荷時には、座部Ａに脚部Ｄが一体となった椅子本体と、背部Ｂとは分離されており、現地において、当該椅子本体の座部Ａと背部Ｂとをロッキング強弱調整具Ｒ’を用いて、上記のようにして組み立てている。ロッキング強弱調整具Ｒ’を構成する計３個の部品は、バラバラとなっているので、その組付けに手間と時間と経験を要するという問題があった。
【先行技術文献】
【特許文献】
【０００７】
【特許文献１】特開２０００−２３６９８３号公報
【発明の概要】
【発明が解決しようとする課題】
【０００８】
本発明は、椅子の座部に対して背部をロッキング可能に連結して、当該背部のロッキングの強弱を調整するロッキング強弱調整具を構成する各部品を一体に組み付けてユニット化することで、椅子の座部と背部との連結を迅速に行えるようにすることを課題としている。
【課題を解決するための手段】
【０００９】
上記課題を解決するための請求項１の発明は、椅子の座部の後端部にロッキングの強弱を調整する調整ボルトが、頂部を支点として前後方向に揺動可能なように下方に向けて突出支持されていると共に、当該座部における前記調整ボルトの前方に係合ピンが横方向に沿って配置され、
背部に埋設されたＬ字状の背部アームの水平連結部は、当該背部の下端部から前方に向けて突出されて、前記水平連結部には、前記座部の調整ボルトが挿通される長孔、及び前記係合ピンに対して回動可能に係止される被係合溝が設けられ、
前記座部の係合ピンに対して前記背部の被係合溝を回動可能に係合させると共に、前記調整ボルトを前記背部アームの長孔に挿通させて、当該調整ボルトとロッキング強弱調整具のナット体とを螺合させて、当該ロッキング強弱調整具を介して前記座部に前記背部をロッキング可能に連結する椅子における座部と背部との連結構造において、
前記ロッキング強弱調整具は、前記調整ボルトが螺合される前記ナット体を有する有底円筒状の調整ハンドルと、当該調整ハンドルに対して部分的に内挿又は外挿された状態で円筒軸心方向に相対的にスライド可能な有底円筒状のバネカバーと、前記調整ハンドルと前記バネカバーとの間に亘って内装されるコイルバネとから成り、
前記調整ハンドルとバネカバーとは、内部に前記コイルバネが内装された状態で、それぞれに設けられた係止部と被係止部との係止により、前記円筒軸心方向に相対的にスライド可能に連結されていることを特徴とする椅子における背部のロッキング強弱調整具である。
【００１０】
請求項１の発明は、ロッキング強弱調整具を構成する調整ハンドルとバネカバーとは、内部に前記コイルバネ及びバネ座金が内装された状態で、それぞれに設けられた係止部と被係止部との係止により、前記円筒軸心方向に相対的にスライド可能な状態で連結されているため、当該ロッキング強弱調整具は、これを構成する調整ハンドル、バネカバー、コイルバネ及びバネ座金の各構成部品がユニット化されている。このため、座部の係合ピンに対して背部の被係合溝を回動可能に係合させると共に、座部の調整ボルトを背部アームの長孔に挿通させて、当該調整ボルトと、複数の構成部品がユニット化されたロッキング強弱調整具のナット体とを螺合させると、当該ロッキング強弱調整具を介して前記座部に前記背部をロッキング可能に連結され、当該ロッキング強弱調整具の調整ハンドルを所定方向に回動させることで、コイルバネの圧縮量が調整されることで、座部に対する背部のロッキングの強弱が調整される。
【００１１】
このように、請求項１の発明に係るロッキング強弱調整具は、座部と背部とを連結して、当該座部に対する背部のロッキングの強弱を調整するロッキング強弱調整具を構成する複数の構成部品が一体に組み付けられてユニット化されているため、座部と背部との連結時において、ロッキング強弱調整具を構成する複数の構成部品を組み付けながら行う必要がなくなって、座部と背部との連結を迅速に行える。また、何らかの原因で、一体に連結された座部と背部とを分離させる必要が生じて、ロッキング強弱調整具の調整ハンドルを回転させて、座部の調整ボルトと、ロッキング強弱調整具の調整ハンドルに埋設されたナット体との螺合を解く際においても、当該ロッキング強弱調整具を構成する各構成部品がバラバラにならないので、座部と背部との分離も容易となる。更に、複数の部品で構成されるロッキング強弱調整具が、バラバラにならないようにユニット化されているので、当該ロッキング強弱調整具の搬送・保管中における部品消失の恐れもなくなる。
【００１２】
請求項２の発明は、請求項１の発明において、前記バネカバーは、前記調整ハンドルの内側に部分挿入され、当該調整ハンドルの被挿入開口側の内周面には、周方向に沿って複数の被係止部が突設されていると共に、前記バネカバーの挿入側の端部には、外鍔部が設けられて、当該外鍔部には、当該バネカバーの挿入側端部に至る複数のスリットが周方向に沿って所定間隔をおいて設けられることで、弾性変形可能な複数の係止片が形成され、
前記バネカバーの１又は複数の係止片を内側に弾性変形させて、各係止片の分割係止外鍔部と、前記調整ハンドルの各被係止部とを係止させることで、当該調整ハンドルと当該バネカバーとが円筒軸心方向に沿って相対的にスライド可能に連結されていることを特徴としている。
【００１３】
請求項２の発明は、バネカバーの挿入開口側の端部が、調整ハンドルの被挿入開口側の端部に部分挿入されて、各部材に設けられた分割係止外鍔部と被係止部とが係止可能になることで、調整ハンドルとバネカバーとは、前記円筒軸心方向に沿ってスライド可能に連結されているため、バネカバーの外径を小さくでき、結果として、ロッキング強弱調整具を小型化できる。また、バネカバーの複数の係止片と調整ハンドルの複数の被係止部とは、いずれも調整ハンドルの内部空間に収容配置されて、外部に露出しない構造となるため、外観が阻害されないと共に、前記係止片及び被係止部が周辺の異物に引っ掛かることもない。
【００１４】
請求項３の発明は、請求項１の発明において、前記調整ハンドルは、前記バネカバーの内側に部分挿入され、当該調整ハンドルの挿入開口側の端部には、外鍔状の被係止部が形成されていると共に、前記バネカバーの被挿入側の端部の内周面には、周方向に沿って所定間隔をおいて複数の係止突起が形成されて、当該バネカバーにおける当該各係止突起の周方向に沿った両端部にはスリットがそれぞれ形成されることで、弾性変形可能な複数の係止片が形成され、
前記バネカバーの１又は複数の係止片を外側に弾性変形させて、各係止片の内側の係止突起と、前記調整ハンドルの被係止部とを係止させることで、当該調整ハンドルと当該バネカバーとが円筒軸心方向に沿って相対的にスライド可能に連結されていることを特徴としている。
【００１５】
請求項３の発明によれば、ロッキング強弱調整具を構成するバネカバーの外径は、調整ハンドルの外径よりも大きいため、当該バネカバーを上方にして配置した場合に、当該バネカバーと調整ハンドルとの段差部は、下方を向くために、当該段差部にゴミ類が溜まらない利点がある。
【発明の効果】
【００１６】
本発明によれば、椅子の座部と背部とを連結して、当該座部に対する背部のロッキングの強弱を調整するロッキング強弱調整具を構成する複数の構成部品が一体に組み付けられてユニット化されているため、座部と背部との連結時において、ロッキング強弱調整具を構成する複数の構成部品を組み付けながら行う必要がなくなって、座部と背部との連結を迅速に行える。
【図面の簡単な説明】
【００１７】
【図１】（ａ），（ｂ）は、本発明の実施例１のロッキング強弱調整具Ｒ1 を備えた椅子Ｃの右側面図及び背面図である。
【図２】同じく斜下方から見た斜視図である。
【図３】分離された座部Ａと背部Ｂとをロッキング強弱調整具Ｒ1 を用いて連結する状態を示す斜視図である。
【図４】同様の状態の側面断面図である。
【図５】背部アーム５１の水平連結部５１ａの被係合溝５３に対して座部Ａの係合ピン４５が係合されて、座部Ａの調整ボルト４２が水平連結部５１ａの挿通長孔５４に挿通されて、当該調整ボルト４２の突出部をロッキング強弱調整具Ｒ1 のナット体Ｎに螺着させる状態の斜視図である。
【図６】同じく螺着された状態の一部を破断した側面断面図である。
【図７】背部Ｂが後方にロッキング（傾動）されて、ロッキング強弱調整具Ｒ1 のコイルバネＳの圧縮量が増した状態の断面図である。
【図８】ロッキング強弱調整具Ｒ1 の分解斜視図である。
【図９】（ａ）〜（ｃ）は、ロッキング強弱調整具Ｒ1 の調整ハンドルＨとバネカバーＥ1 とを係合させる順序を示す断面図である。
【図１０】ロッキング強弱調整具Ｒ2 の分解斜視図である。
【図１１】座部Ａの調整ボルト４２とロッキング強弱調整具Ｒ2 のナット体Ｎとの螺着前の側面断面図である。
【図１２】同じく螺着後の側面断面図である。
【図１３】従来構造のロッキング強弱調整具Ｒ’を用いて、座部Ａと背部Ｂとを連結する状態を示す側面図である。
【発明を実施するための形態】
【００１８】
以下、複数の最良の実施例を挙げて、本発明について更に詳細に説明する。
【実施例１】
【００１９】
最初に、図１〜図９を参照して、本発明の実施例１のロッキング強弱調整具Ｒ1 を事務用の回転椅子Ｃに適用した例について説明する。回転椅子Ｃは、脚部Ｄに対して座部Ａが回転可能に支持され、当該座部Ａに対して背部Ｂが、ユニット構造のロッキング強弱調整具Ｒ1 を介してロッキング可能に連結された構成であり、座部Ａと背部Ｂとの連結構造自体は、「背景技術」の項目で説明した通りである。
【００２０】
ユニット構造のロッキング強弱調整具Ｒ1 は、図８及び図９に示されるように、有底円筒状の調整ハンドルＨ1 と、開口側端部が当該調整ハンドルＨ1 の被挿入側開口に部分挿入される同じく有底円筒状のバネカバーＥ1 と、当該調整ハンドルＨ1 とバネカバーＥ1 との各内部空間の間に亘って内装されるコイルバネＳと、当該バネカバーＥ1 の底部１２と当該コイルバネＳの一端部との間に配置されるバネ座金６１とで構成され、前記調整ハンドルＨ1 と前記バネカバーＥ1 とは、係止構造により前記調整ハンドルＨ1 及びバネカバーＥ1 の円筒軸心方向に相対的にスライド可能であって、しかも互いに分離可能に連結されることで、全体がユニット構造となっている。
【００２１】
調整ハンドルＨ1 及びバネカバーＥ1 は、いずれも樹脂製である。有底円筒状の調整ハンドルＨ1 の底部１は、コイルバネＳの圧縮による復元力に抗し得るように、本体周壁部５に比較して数倍の肉厚となるような厚肉に形成され、当該底部１の中心部には、座部Ａの調整ボルト４２が挿入されるボルト挿通孔２が貫通形成されて、前記底部１の内側における当該挿通孔２の周縁部には、ナット体Ｎが埋設され、当該ナット体Ｎの抜止め外鍔部Ｎａは、当該底部１の段差部に配置されて、当該底部１の内面側に部分埋設される座金状の抜止め体４により、本体周壁部５の内部への移動が防止されている。本体周壁部５の開口側の端部の内周面には、周方向に沿って所定間隔をおいて複数の被係止突起６が、当該本体周壁部５の中心側に向けて突設されている。当該被係止突起６は、縦断面が三角形状に形成されて、上面及び下面は、バネカバーＥ1 に設けられた後述の係止片１６の分割係止外鍔部１４ａが本体周壁部５の半径方向に沿ってスライドし易いように傾斜面状に形成されている。なお、図中７は、調整ハンドルＨ1 を掴んで回転させる際に、その滑りを防止するために、本体周壁部５の外周面に周方向に沿って所定間隔をおいて円筒軸心方向に沿って設けられた複数本の滑止め用溝部を示す。
【００２２】
一方、有底円筒状のバネカバーＥ1 の本体周壁部１１は、その開口側端部が、前記調整ハンドルＨ1 の本体周壁部５の開口側端部の内側に部分挿入可能なように、当該調整ハンドルＨ1 よりも小径に形成されている。バネカバーＥ1 は、その底部１２に調整ボルト４２を挿通するためのボルト挿通孔１３が形成されている。当該ボルト挿通孔１３は、背部Ｂのロッキング時に、座部Ａに対する配置角度が変化する調整ボルト４２と干渉しないような大きさになっている。バネカバーＥ1 の開口側の端部には、外鍔部１４が全周に形成され、当該外鍔部１４から本体周壁部１１の開口側端部に至る間には、複数のスリット１５が周方向に沿って所定間隔をおいて円筒軸心方向に設けられることで、本体周壁部１１の半径方向に沿って内側に弾性変形可能な複数の係止片１６が形成されている。前記外鍔部１４は、複数の前記スリット１５により周方向に沿って分割されることで、分割係止外鍔部１４ａとなっている。
【００２３】
そして、上記した調整ハンドルＨ1 、バネカバーＥ1 、コイルバネＳ、及びバネ座金６１とをユニット化させるには、図９に示されるように、バネカバーＥ1 の底部１２とコイルバネＳの一端部との間にバネ座金６１を配置させて、調整ハンドルＨ1 及びバネカバーＥ1 の各内部空間にコイルバネＳを収容した状態で、調整ハンドルＨ1 とバネカバーＥ1 とを互いに近接させると、図９（ａ）に示されるように、バネカバーＥ1 の複数の分割係止外鍔部１４ａのいずれかが、調整ハンドルＨ1 の各被係止突起６に当接する。この状態で、調整ハンドルＨ1 に対してバネカバーＥ1 を僅かに傾斜させた状態で、調整ハンドルＨ1 に対してバネカバーＥ1 を押圧すると、調整ハンドルＨ1 の被係止突起６に当接している複数のバネカバーＥ1 の分割係止外鍔部１４ａのうち、最も低い部分に位置している特定の１個の分割係止外鍔部１４ａを含む１又は複数の係止片１６が内側に弾性変形されることで、当該特定の１又は複数の分割係止外鍔部１４ａは、被係止突起６を乗り越えて、当該被係止突起６の内側に配置され〔図９（ｂ）参照〕、この状態で、調整ハンドルＨ1 に対してバネカバーＥ1 を回動させると、バネカバーＥ1 の残りの分割係止外鍔部１４ａが、調整ハンドルＨ1 の各被係止突起６の内側に配置されて、図９（ｃ）に示されるように、調整ハンドルＨ1 、バネカバーＥ1 、コイルバネＳ、及びバネ座金６１とが一体に組み付けられて、ロッキング強弱調整具Ｒ1 がユニット化される。ロッキング強弱調整具Ｒ1 がユニット化された状態では、後述のように、特殊な操作を行わない限り、調整ハンドルＨ1 とバネカバーＥ1 とが分離されることはない。
【００２４】
一方、バネ座金６１のグリスアップを行う等の調整ハンドルＨ1 とバネカバーＥ1 とを分離させる必要が生じた場合には、上記の組付け操作の逆の操作を行えば、調整ハンドルＨ1 とバネカバーＥ1 とを分離させられる。なお、上記組付け例では、調整ハンドルＨ1 の底部１とコイルバネＳの他端部との間にバネ座金６１が配置されていないのは、当該底部１に埋設された座金状の抜止め体４が、間接的にバネ座金としての機能を果すためである。しかし、調整ハンドルＨ1 の底部１とコイルバネＳの他端部との間にバネ座金６１を配置することで、当該コイルバネＳの両端部にバネ座金６１を配置することは可能である。
【００２５】
そして、図５及び図６に示されるように、座部Ａと脚部Ｄとが一体となった椅子本体を上下反転させて、背部Ｂを構成する背部アーム５１の水平連結部５１ａの先端部の被係合溝５３に、座部Ａの係合ピン４５を挿入して係合させると共に、当該水平連結部５１ａの挿通長孔５４に、座部Ａの裏面から突出している調整ボルト４２を挿通させることで、座部Ａの裏面に設けられた収納凹部４３に、背部Ｂの前記水平連結部５１ａの外側に嵌め込まれた組付ブラケット５２を収納させると、当該組付ブラケット５２から調整ボルト４２が所定長だけ突出される。
【００２６】
ここで、図５に示されるように、上下反転された座部Ａから上方に突出している調整ボルト４２の直上に、バネカバーＥ1 を下方にしてロッキング強弱調整具Ｒ1 を垂直に配置すると、調整ハンドルＨ1 の複数の被係止突起６と、バネカバーＥ1 の複数の分割係止外鍔部１４ａとが係止されることで、調整ハンドルＨ1 に対してバネカバーＥ1 が吊り下げられた状態で、複数部品の組付け状態が維持されている。この状態で、ユニット化されたロッキング強弱調整具Ｒ1 のバネカバーＥ1 のボルト挿通孔１３に対して調整ボルト４２の突出部を、その先端がナット体Ｎに達するまで挿通させた状態で、調整ハンドルＨ1 を所定方向に回転させると、図５及び図６に示されるように、当該調整ボルト４２の先端部の雄ねじ部４２ｂと、調整ハンドルＨ1 の底部１に埋設されたナット体Ｎとが螺合され、当該調整ハンドルＨ1 の累積回転数が所定値に達すると、コイルバネＳの圧縮が開始される。コイルバネＳの圧縮量の増大に伴って、調整ハンドルＨ1 に対するバネカバーＥ1 の挿入長が増大される。調整ハンドルＨ1 によるコイルバネＳの圧縮量の調整により、座部Ａのロッキングの強弱が調整される。
【００２７】
このように、背部Ｂの背部アーム５１及びロッキング強弱調整具Ｒ1 を介して座部Ａと背部Ｂとを連結する際に、当該ロッキング強弱調整具Ｒ1 を構成する調整ハンドルＨ1 、バネカバーＥ1 、コイルバネＳ及び１個のバネ座金６１は、調整ハンドルＨ1 とバネカバーＥ1 との各内部空間にコイルバネＳ及び１個のバネ座金６１が内装された状態で、調整ハンドルＨ1 に設けられた複数の被係止突起６と、バネカバーＥ1 に設けられた複数の係止片１６とが係止可能であって、しかも調整ハンドルＨ1 とバネカバーＥ1 とは、円筒軸心方向にスライド可能な状態で、一体に組み付けられてユニット化されていて、調整ハンドルＨ1 とバネカバーＥ1 とは、両者の円筒軸心が所定角度交差するように、両者を相対的に傾けて、捩じるように回動させるという複雑な操作を行わない限り、両者が分離されることはない。このため、ユニット化されたロッキング強弱調整具Ｒ1 を用いて行う座部Ａと背部Ｂとの連結は、ロッキング強弱調整具Ｒ1 を構成する各部品をを組み付けながら行う必要がないために、迅速に行える。また、座部Ａと脚部Ｄとが一体となった椅子本体と背部Ｂとを分離させて保管・運搬を行う場合においても、ロッキング強弱調整具Ｒ1 は、調整ハンドルＨ1 とバネカバーＥ1 とが容易には分離されてない状態で係止されているため、保管・運搬の途中で構成部品が分離したり、或いは紛失の恐れもないので、その取り扱いが容易となる。
【００２８】
このため、図７に示されるように、椅子Ｃの使用時において、背部Ｂに後方への傾動力を加えて、背部Ｂをロッキングさせると、調整ハンドルＨ1 に対するバネカバーＥ1 の挿入長が長くなって、コイルバネＳの圧縮量を増大させることで、当該背部Ｂを原位置に復帰させる復元力が発生して、当該背部Ｂは、ロッキング状態になると共に、椅子Ｃの背部Ｂから人体の背部を離すと、椅子Ｃの背部Ｂは、前記復元力により原位置に復帰される。
【００２９】
また、バネカバーＥ1 の複数の係止片１６と調整ハンドルＨ1 の複数の被係止突起６は、いずれも調整ハンドルＨ1 の内部空間に収容配置されて、外部に露出しない構造となるため、外観が阻害されないと共に、前記係止片１６及び被係止突起６が周辺の異物に引っ掛かることもない。
【実施例２】
【００３０】
次に、図１０〜図１２を参照して、本発明の実施例２のロッキング強弱調整具Ｒ2 について説明する。ロッキング強弱調整具Ｒ2 は、調整ハンドルＨ2 、バネカバーＥ2 、コイルバネＳ及び２個のバネ座金６１との計４個の部品を組み付けてユニット化したものであるが、前記調整ハンドルＨ1 と異なり、バネカバーＥ2 は、調整ハンドルＨ2 よりも大径に形成されて、調整ハンドルＨ2 の開口側端部が、バネカバーＥ2 の開口側端部の内側に部分挿入された構成となっている。即ち、有底円筒状の調整ハンドルＨ2 は、本体周壁部２１の円筒軸心方向の一端部に厚肉の底部２２が形成され、当該底部２２の中心部にはボルト挿通孔２３が形成されて、当該底部２２における内部空間に近い部分には、ナット体Ｎが埋設され、開口側の端部には、外鍔状の被係止部２４が全周に亘って形成され、前記本体周壁部２１の外周面には、円筒軸心方向に沿って複数の滑止め用凹部２５が形成されている。また、底部２２の内面には、当該部分に配置されるバネ座金６１のズレ止めを行う複数のズレ止め凸部２６が周方向に所定間隔をおいて半径方向に沿って一体に設けられている。
【００３１】
一方、有底円筒状のバネカバーＥ2 の本体周壁部３１の開口側端部の内周面には、周方向に沿って所定間隔をおいて複数の係止突起３２が周方向に沿って所定間隔をおいて内方に向けて突出して形成され、本体周壁部３１における前記係止突起３２の周方向の両端部には、それぞれ短いスリット３３が形成されることで、内側に前記係止突起３２が形成されて、半径方向の外側に弾性変形可能な複数の係止片３４が形成されている。バネカバーＥ2 の底部３５の中心部には、ボルト挿通孔３６が形成され、当該底部３５の内面には、配置されるバネ座金６１のズレ止めを行う複数のズレ止め片３７が周方向に沿って所定間隔をおいて半径方向に沿って同一位置に一体に設けられている。
【００３２】
そして、実施例１のロッキング強弱調整具Ｒ1 と同様にして、バネカバーＥ2 の内側に、伸縮方向の両端部にそれぞれバネ座金６１を配置した状態で、コイルバネＳを収容配置させておいて、調整ハンドルＨ2 とバネカバーＥ2 の各円筒軸心を相互に僅かに傾斜させた状態で、バネカバーＥ2 の特定の係止片３４に対して調整ハンドルＨ2 の鍔状の被係止部２４を押し付けると、当該係止片３４が外側に弾性変形されて、当該係止片３４の内側に鍔状の被係止部２４の一部が配置され、この状態で、調整ハンドルＨ2 に対してバネカバーＥ2 を所定方向に回動させると、図１１に示されるように、バネカバーＥ2 の複数の係止突起３２の内側に、調整ハンドルＨ2 の鍔状の被係止部２４が配置されて、互いに係止することで、調整ハンドルＨ2 とバネカバーＥ2 とは、相互の円筒軸心が合致した状態では、円筒軸心方向に沿ってスライド可能となって、互いに連結されて、取り外れることはない。これにより、ロッキング強弱調整具Ｒ2 を構成する複数の部品は、組み付けられてユニット化されることで、その取扱い時に、バラバラになることはない。
【００３３】
実施例１のロッキング強弱調整具Ｒ1 と同様にして、座部Ａの裏面側に突出している調整ボルト４２を、バネカバーＥ2 及び調整ハンドルＨ2 の各ボルト挿通孔３６，２３に挿通させて、当該調整ボルト４２の雄ねじ部４２ｂの先端部を、調整ボルト４２の底部２２に埋設されたナット体Ｎに、コイルバネＳの圧縮が開始させるまで螺合させると、図１２に示されるように、バネカバーＥ2 の底部３５は、当該コイルバネＳの圧縮復元力により、座部Ａの収納凹部４３に組み込まれている組付ブラケット５２の底板部５２ａに弾接させられて、当該座部Ａに対して背部Ｂがロッキング可能に連結される。
【００３４】
実施例２のロッキング強弱調整具Ｒ2 では、バネカバーＥ2 の外径は、調整ハンドルＨ2 の外径よりも大きくて、当該バネカバーＥ2 と調整ハンドルＨ2 との段差部は、下方を向くために、当該段差部にゴミ類が溜まらない利点がある。
【００３５】
また、調整ハンドルとバネカバーの開口側端部に設けられて、互いに係止される係止部及び被係止部は、上記した実施例１，２の構造に限定されるものではなく、調整ハンドルとバネカバーとが円筒軸心方向に沿ってスライド可能な状態で、当該調整ハンドルとバネカバーとを分離されることなく連結できれば、いかなる構造であってもよい。
【００３６】
なお、実施例１，２は、本発明に係るロッキング強弱調整具Ｒ1 ，Ｒ2 を回転椅子に適用した例であるが、脚部に対して座部が固定されている固定椅子に対しても適用可能である。
【符号の説明】
【００３７】
Ａ：座部
Ｂ：背部
Ｃ：回転椅子（椅子）
Ｄ：脚部
Ｅ1 ，Ｅ2 ：バネカバー
Ｈ1 ，Ｈ2 ：調整ハンドル
Ｎ：ナット体
Ｒ1 ，Ｒ2 ：ロッキング強弱調整具
Ｓ：コイルバネ
５：調整ハンドルの本体周壁部
６：被係止突起（被係止部）
１１：バネカバーの本体周壁部
１４ａ：分割係止外鍔部
１５：スリット
１６：係止片
２４：被係止部
３２：係止突起（係止部）
３３：スリット
３４：係止片
４２：調整ボルト
５１：背部アーム
５１ａ：水平連結部
６１：バネ座金
【図１】
2020130317.tif 000003
【図２】
2020130317.tif 000004
【図３】
2020130317.tif 000005
【図４】
2020130317.tif 000006
【図５】
2020130317.tif 000007
【図６】
2020130317.tif 000008
【図７】
2020130317.tif 000009
【図８】
2020130317.tif 000010
【図９】
2020130317.tif 000011
【図１０】
2020130317.tif 000012
【図１１】
2020130317.tif 000013
【図１２】
2020130317.tif 000014
【図１３】
2020130317.tif 000015